(57)【特許請求の範囲】
【請求項１】
マウンテンカップ（２９）の上面中央に、開閉機能付きのステム（３０）を起立させて構成され、前後に並列に隣接組合せされたエアゾール式容器である容器体（２８）の一対と、該一対の容器体（２８）の上端部に外嵌する嵌着筒片（２）の左右両側部分からガイド壁（４）を起立設し、該両ガイド壁（４）の平行に対向した平坦な内側面のそれぞれに、縦溝状のガイド溝（５）を刻設した装着体（１）と、前記ガイド壁（４）間に昇降変位可能に装入される略直方体形状をし、前面に隣接して別々に開口させて一対の注出通路（１７）を内部に形成した本体ブロック（１５）の両側面に、前記ガイド溝（５）に摺動可能に嵌合する縦突条状のガイド条（１９）を前記本体ブロック（１５）の縦寸法の全範囲に亘って突設し、前記本体ブロック（１５）の下面に、前記一対の容器体（２８）の各ステム（３０）に個々に密外嵌する一対の接続筒片（２２）を有するアダプター（２０）を、前記接続筒片（２２）を各注出通路（１７）の通路に一対一で接続すると共に、前記本体ブロック（１５）との間に、一方の注出通路（１７）の通路長を他方の注出通路（１７）と略等しくする逆行通路部（１８）を形成して、密に組付けた注出体（１４）と、前記両ガイド壁（４）間に装入可能な板状をし、後端部を操作力の作用部である押圧部（１０）とした操作片（８）の下面に、下端を前記本体ブロック（１５）の上面略中央に、略点接触状に接触させる押圧片（９）を垂下設し、前記操作片（８）の前端縁を、前記注出体（１４）の前端部の突き出しを可能とする窓孔（１２）を開設した連結片（１１）を介して、前記嵌着筒片（２）の前側上端縁にヒンジ（１３）で連結した操作体（７）と、から成る注出容器。
【請求項２】
本体ブロック（１５）の前面に、両注出通路（１７）を合流させるノズル片（２３）を組付けた請求項１記載の注出容器。
【請求項３】
両ガイド壁（４）の対向した各内側面の前側部と後側部にガイド溝（５）を、また本体ブロック（１５）の両側面の前側部と後側部にガイド条（１９）を、それぞれ設けた請求項１または２記載の注出容器。
【請求項４】
容器体（２８）のマウンテンカップ（２９）に外嵌してアンダーカット結合する一対の嵌合筒片（２５）を、前後に隣接結合した結合体（２４）により、一対の容器体（２８）を並列に隣接組合せし、前記一対の容器体（２８）に対する装着体（１）の装着を、該装着体（１）の結合体（２４）に対するアンダーカット結合により達成する構成とした請求項１、２または３記載の注出容器。
【請求項５】
押圧片（９）の下端を、両ステム（３０）を結ぶ仮想される直線の２等分点の直上に位置する、本体ブロック（１５）の上面箇所に当接すべく設定した請求項１、２、３または４記載の注出容器。
【請求項６】
本体ブロック（１５）内に、上下に並列に形成された一対の注出通路（１７）の内、前側の容器体（２８）に接続される下側注出通路（１７）の、前記本体ブロック（１５）とアダプター（２０）との間に形成される通路部分を、前後に長い偏平筒体で形成し、該偏平筒体の後端に前記本体ブロック（１５）側の開口部を、反対に前端に前記アダプター（２０）側の開口部を設けて、該偏平筒体内を逆行通路部（１８）とした請求項１、２、３、４または５記載の注出容器。
【発明の詳細な説明】
【０００１】
【発明の属する技術分野】
本発明は、一対のエアゾール式容器から同時に内容物を噴出させると共に、この両噴出内容物を一緒に注出する注出容器に関するものである。
【０００２】
【従来の技術】
例えば、ある種の染毛剤のように、２種の薬液を使用時に一緒に注出するタイプのもので、薬液を個々にエアゾール式容器に収納し、使用時に、この一対のエアゾール式容器から薬液である内容物を同時に噴出させると共に、この噴出した内容物を一緒に一ヵ所から注出する容器として、特開平１１−１１５５４号公報に開示された技術がある。
【０００３】
この従来技術は、併設したエアゾール式器と、各エアゾール容器のステムに嵌着される噴射部材と、この噴射部材を押し下げる操作部を有するキャップを備えており、噴射部材から噴射される混合液の噴射方向がエアゾール容器に対して、正面横方向とした構成となっている。
【０００４】
この従来技術においては、操作部の引きレバー部を指で引くことにより、ステムを確実に押し下げることができるので、内容物の注出を確実にそして簡単に達成でき、また噴射部材の上下移動を案内するための案内部を設けることにより、噴射部材の確実で安定した昇降変位動作を得ることができるようにしている。
【０００５】
【発明が解決しようとする課題】
しかしながら、上記した従来技術にあっては、案内部を、キャップに設けた案内溝と、噴射部材に設けた突起とから構成した場合には、噴射部材の下降動作初期の、案内溝に対する突起の嵌合程度が浅い状態では、キャップに対して噴射部材が傾斜し易く、このため突起と案内溝との間に齧りが発生して、噴射部材の下降動作が不良となるか、または噴射部材が傾斜したまま下降変位して、両エアゾール容器からの内容物の噴射量を不均一にする、と云う問題があった。
【０００６】
また、案内部を、噴射部材の下位に設けられ、操作部からの押し下げ力を受ける突起と、キャップの内壁に縦溝状に成形され、突起が摺動可能に係合する案内溝とから構成した場合には、ステムの押し下げ力を作用させる噴射部材部分と、突起との上下位置関係のバランスにより、噴射部材を傾けることなく下降変位させることができるのであって、案内部には、噴射部材の傾きを阻止する能力は全くなく、このため何らかの原因により噴射部材が傾くと、噴射部材は傾いたまま押し下げられ、前記と同様に、両エアゾール容器からの内容物の噴射量を不均一にする、と云う問題があった。
【０００７】
さらに、両エアゾール容器から噴射された各内容物を混合室に導くための各注出通路が、上流側通路は長く、下流側通路は短くなっているため、注出初期においては、混合室への下流側内容物の流入タイミングが早く、上流側内容物の流入タイミングが遅くなり、そのため、所定の混合比の混合液をノズルから注出することができない、と云う問題があり、また、両内容物を混合しないで、隣接した別々の注出口からそれぞれ注出させるタイプの注出容器の場合でも、同様に、上流側内容物の注出通路が長く、下流側内容物の注出通路が短くなるため、両内容物の注出タイミングがずれ、同時に注出することができない、と云う問題があった。
【０００８】
そこで、本発明は、上記した従来技術における問題点を解消すべく創案されたもので、一対のエアゾール容器のステムに同時に押し下げ力を作用させて、両エアゾール容器から内容物を噴出させる注出体を、傾くことなく下降変位させると共に、その両内容物の各注出通路の通路長を略等しくすることを技術的課題とし、もって一対のエアゾール容器からの内容物の均等な噴出および一対の注出口からの同時注出を、安定して確実に達成することを目的とする。
【０００９】
【課題を解決するための手段】
上記技術的課題を解決する本発明の内、請求項１記載の発明の手段は、
マウンテンカップの上面中央に、開閉機能付きのステムを起立させて構成され、前後に並列に隣接組合せされたエアゾール式容器である容器体の一対を有すること、
この一対の容器体の上端部に外嵌する嵌着筒片の左右両側部分からガイド壁を起立設し、この両ガイド壁の平行に対向した平坦な内側面のそれぞれに、縦溝状のガイド溝を刻設した装着体を有すること、
装着体のガイド壁間に昇降変位可能に装入される略直方体形状をし、前面に隣接して別々に開口させて一対の注出通路を内部に形成した本体ブロックの両側面に、装着体のガイド溝に摺動可能に嵌合する縦突条状のガイド条を本体ブロックの縦寸法の全範囲に亘って突設し、この本体ブロックの下面に、一対の容器体の各ステムに個々に密外嵌する一対の接続筒片を有するアダプターを、接続筒片を各注出通路に一対一で接続すると共に、本体ブロックとの間に、一方の注出通路の通路長を他方の注出通路と略等しくする逆行通路部を形成して、密に組付けた注出体を有すること、
装着体の両ガイド壁間に装入可能な板状をし、後端部を操作力の作用部である押圧部とした操作片の下面に、下端を本体ブロックの上面略中央に、略点接触状に接触させる押圧片を垂下設し、操作片の前端縁を、注出体の前端部の突き出しを可能とする窓孔を開設した連結片を介して、装着体の嵌着筒片の前側上端縁にヒンジで連結した操作体を有すること、
にある。
【００１０】
使用に際しては、操作体の押圧部を押し下げると、押圧片を介して注出体が下降変位し、一対のステムを押し下げるので、両容器体から内容物が噴出し、両注出通路を通って前端の各開口部から注出される。
【００１１】
その場合において、注出体は、本体ブロックの両側面に設けた縦突条状のガイド条が、装着体に設けた縦溝状のガイド溝に案内されて下降するので、全く傾くことなく安定して下降変位して両ステムを均等に押し下げ、もって両内容物が均等に噴出する。
【００１２】
さらに、注出体内に逆行通路部を設けて、両注出通路の通路長を略等しく形成してあるので、両開口部からの注出タイミングがずれることなく、両内容物が同時にかつ均等に注出される。
【００１３】
請求項２記載の発明は、請求項１記載の発明に、本体ブロックの前面に、両注出通路を合流させるノズル片を組付けた、ことを加えたものである。
【００１４】
この請求項２記載の発明にあっては、両内容物を注出時に合流させるので、注出力を利用して両内容物の混合を達成することができ、その分、両内容物の混合が容易となる。
【００１５】
請求項３記載の発明は、請求項１または２記載の発明に、両ガイド壁の対向した各内側面の前側部と後側部にガイド溝を、また本体ブロックの両側面の前側部と後側部にガイド条を、それぞれ設けた、ことを加えたものである。
【００１６】
この請求項３記載の発明にあっては、注出体の傾きのない安定した下降変位動作が、より確実に安定して達成される。
【００１７】
請求項４記載の発明は、請求項１、２または３記載の発明に、容器体のマウンテンカップに外嵌してアンダーカット結合する一対の嵌合筒片を、前後に隣接結合した結合体により、一対の容器体を並列に隣接組合せし、一対の容器体に対する装着体の装着を、この装着体の結合体に対するアンダーカット結合により達成する構成とした、ことを加えたものである。
【００１８】
この請求項４記載の発明にあっては、嵌合筒片に対する両容器体のアンダーカット結合組付けにより、一対の容器体が、簡単に安定して強固に並列隣接組合せされることになり、これにより容器体の取扱いが容易となる。
【００１９】
請求項５記載の発明は、請求項１、２、３または４記載の発明に、押圧片の下端を、両ステムを結ぶ仮想される直線の２等分点の直上に位置する、本体ブロックの上面箇所に当接すべく設定した、ことを加えたものである。
【００２０】
この請求項５記載の発明にあっては、注出体の下降による両ステムの均等な押し下げを、より安定して確実に達成することができる。
【００２１】
請求項６記載の発明は、請求項１、２、３、４または５記載の発明に、本体ブロック内に、上下に並列に形成された一対の注出通路の内、前側の容器体に接続される下側注出通路の、本体ブロックとアダプターとの間に形成される通路部分を、前後に長い偏平筒体で形成し、この偏平筒体の後端に本体ブロック側の開口部を、反対に前端にアダプター側の開口部を設けて、この偏平筒体内を逆行通路部とした、ことを加えたものである。
【００２２】
この請求項６記載の発明にあっては、逆行通路部を、本体ブロックとアダプターとの組合せを利用して、簡単に形成することができると共に、本体ブロックとアダプターとの分解により逆行通路部全域を露出させることができるので、注出通路の効果的な洗浄が簡単に達成される。
【００２３】
【発明の実施の形態】
以下、本発明の実施例を、図面を参照しながら説明する。
図１〜図３および図６は本発明の第一実施例を示したもので、エアゾール式容器である容器体２８（図３参照）は、細長有底円筒状をした金属製本体の縮径した口部に、弁による開閉機能部を備えたステム３０を有する金属製のキャップをカシメ固定してマウンテンカップ２９を形成し、ステム３０は、このマウンテンカップ２９上面に起立した状態となっている。
【００２４】
結合体２４は、容器体２８のマウンテンカップ２９に外嵌してアンダーカット結合する一対の嵌合筒片２５を、中央部の連結および両側の連結板により前後に隣接結合して構成されており、その外周面の前後と左右にそれぞれアンダーカット結合用の係止条２６が突設されていると共に、各嵌合筒片２５の内周面にアンダーカット結合用の係止周条２７が突設されている。
【００２５】
装着体１は、内周面に突設した係止片３により、結合体２４に外嵌してアンダーカット結合する装着筒片２の左右両側部分に、反転二重壁構造のガイド壁４を起立設して、このガイド壁４の両内側下面を段部６に形成し（図６参照）、かつ両ガイド壁４の平行に対向した平坦な内側面の前側部と後側部に、それぞれ縦溝状のガイド溝５を設けて構成されている。
【００２６】
注出体１４は、ガイド壁４間に昇降変位可能に装入される略直方体形状の本体ブロック１５と、この本体ブロック１５の下面に密に組み付けられるアダプター２０と、から構成されている。
【００２７】
本体ブロック１５は、その下面（図１では上面）の中央部に前後に長い偏平筒状の結合筒片１６が、後端に円筒状の結合筒片１６がそれぞれ垂下設されていると共に、内部には、偏平筒状の結合筒片１６の後端部と前面に開口する注出通路１７と、円筒状の結合筒片１６と前面に開口する注出通路１７とが上下に形成されており、また、両側面の前側部と後端部に、各ガイド溝５に摺動可能に嵌合する縦突条状のガイド条１９が突設されている。
【００２８】
アダプター２０は、その下面の前後端に、容器体２８の各ステム３０に密外嵌する一対の接続筒片２２が垂下設されていると共に、上面の前部には、偏平筒状の結合筒片１６に密外嵌し、かつ前端部内が前部の接続筒片２２内に連通している偏平筒状の連結筒片２１が立設され、上面の後端には、円筒状の結合筒片１６に密外嵌し、かつ内部が後部の接続筒片２２内に連通している円筒状の連結筒片２１が立設されている。
【００２９】
このアダプター２０をブロック本体１５の下面に密に組付けると、前部の結合筒片１６と連結筒片２１との嵌合により形成される偏平筒体の内部は、前端がアダプター２０の接続筒片２２内に連通すると共に、後端がブロック本体１５の下側の注出通路１７に連通して、この下側の注出通路１７の通路長を上側の注出通路１７と略等しくする逆行通路部１８に形成される（図３参照）。
【００３０】
操作体７は、両ガイド壁４間に装入可能な板状に形成され、後端部を操作力の作用部分である幅広な押圧部１０とした操作片８の下面に、下端が本体ブロック１５の上面略中央、すなわち両ステム３０を結ぶ仮想される直線の２等分点の直上に位置する、本体ブロック１５の上面箇所に、略点接触状に当接すべく設定した半円板状の押圧片９が垂下設されている。
【００３１】
この操作体７は、操作片８の前端縁を、注出体１４の前端部の突き出しを可能とする縦長な矩形状の窓孔１２を開設した連結片１１を介して、嵌着筒片２の前側上端縁にヒンジ１３で連結されている。
【００３２】
図４〜図６に示した第二実施例は、注出体１４の本体ブロック１５の前面に、両注出通路１７を合流させて両内容物の混合液を注出する、ノズル片２３を組付けて構成したもので、その他の構成は第一実施例と同様である。
【００３３】
この第二実施例にあっては、両内容物がノズル片２３を通過する際に、注出力により相互に強制的に混合されることになるので、注出後における両内容物の混合処理が簡単となり、また一つの注出口から注出されるので、特定される目的箇所への注出が、簡単で安全なものとなる。
【００３４】
【発明の効果】
本発明は、上記した構成となっているので、以下に示す効果を奏する。
請求項１記載の発明においては、操作体の押し下げ操作による両エアゾール式容器からの内容物の噴出において、注出体は、本体ブロックの両側面に設けた縦突条のガイド条が、装着体に設けた縦溝条のガイド溝に係合した状態で下降するので、全く傾くことなく安定して下降変位して両ステムを均等に押し下げ、もって内容物を均等に噴出させることができる。
【００３５】
また、注出体内に逆行通路部を設けて両注出通路の通路長を略等しく形成してあるので、両開口部からの注出タイミングがずれることなく、両内容物を同時にかつ均等に注出させることができ、もって注出の最初から良好な使用状態を得ることができる。
【００３６】
請求項２記載の発明においては、注出される両内容物を、その注出力を利用して混合させることができるので、注出した両内容物の混合処理が容易となる。
【００３７】
請求項３記載の発明においては、注出体を傾くことなく、安全に下降変位させることができるので、常に両内容物の容器体からの噴出時点を同時とすることが可能となり、これにより両内容物の注出量比率を常に安定して一定に保持することができる。
【００３８】
請求項４記載の発明においては、一対の容器体と装着体との組付きを簡単に達成でき、この組付きにより一対の容器体を前後に並列に隣接組付き姿勢に安定して保持することができ、もって容器体の取扱いが容易で効率の良いものとすることができる。
【００３９】
請求項５記載の発明においては、注出体の下降による両ステムの均等な押し下げを、より安定して確実に達成することができ、もって両内容物の適正な注出動作を、確実にかつ安定して得ることができる。
【００４０】
請求項６記載の発明においては、逆行通路部を、良好な状態で簡単に形成することができ、また複雑な通路部分である逆行通路部を、本体ブロックとアダプターの分解により露出状態とすることができるので、内容物の注出使用後の洗浄を簡単にかつ効率良く行うことができる。
【図面の簡単な説明】
【図１】本発明の一実施例を示す、本体ブロックおよび操作体を反転状態とした分解斜視図。
【図２】図１に示した実施例の、組付け状態の要部斜視図。
【図３】図２に示した状態の、要部縦断側面図。
【図４】本発明の第二実施例を示す、要部斜視図。
【図５】図４に示した状態の、要部縦断側面図。
【図６】図１および図４に示した実施例の、要部縦断正面図。
【符号の説明】
１  ；  装着体
２  ；  装着筒片
３  ；  係止片
４  ；  ガイド壁
５  ；  ガイド溝
６  ；  段部
７  ；  操作体
８  ；  操作片
９  ；  押圧片
１０  ；  押圧部
１１  ；  連結片
１２  ；  窓孔
１３  ；  ヒンジ
１４  ；  注出体
１５  ；  本体ブロック
１６  ；  結合筒片
１７  ；  注出通路
１８  ；  逆行通路部
１９  ；  ガイド条
２０  ；  アダプター
２１  ；  連結筒片
２２  ；  接続筒片
２３  ；  ノズル片
２４  ；  結合体
２５  ；  嵌合筒片
２６  ；  係止条
２７  ；  係止周条
２８  ；  容器体
２９  ；  マウンテンカップ
３０  ；  ステム
【図１】
0004626790.tif 000002
【図２】
0004626790.tif 000003
【図３】
0004626790.tif 000004
【図４】
0004626790.tif 000005
【図５】
0004626790.tif 000006
【図６】
0004626790.tif 000007